(57)【要約】【課題】  画像が有する被写体の患者関連情報及び／又は撮像条件に基づいて表示の順番を決定して表示を行い、医師が各画像のわずかな違いを見比べて患部形状の特定を容易に行う。【解決手段】  画像の有する被写体の少なくも１つ以上の患者関連情報及び／又は撮像条件に基づいて、ＣＰＵ４０が表示の順番を決定し、グラフィックコントローラ４４がＨＤＤ４１及び／又はメモリ４２に蓄積された画像を読み出し、ＣＰＵ４０が決定した順番に従った参照医療画像を参照画像表示エリアに表示する。【選択図】  図２
2005185565.tif 000002
【特許請求の範囲】
【請求項１】
同一被写体を撮像した複数の画像を表示する医療情報処理システムにおいて、
患者関連情報及び撮像条件を示す情報の少なくとも一方を含む付加情報が付与された前記画像を蓄積する画像蓄積手段と、
前記付加情報に基づいて画像の特性を判別する画像特性判別手段と、
前記画像特性判別手段による判別結果に基づき前記画像の表示の順番を決定する表示制御手段と
を具備したことを特徴とする医療情報処理システム。
【請求項２】
前記画像を外部から入力する画像入力手段を備えた
ことを特徴とする請求項１に記載の医療情報処理システム。
【発明の詳細な説明】
【技術分野】
【０００１】
本発明は、同一被写体を撮像した複数の画像を表示する医療情報処理システムに関する。
【背景技術】
【０００２】
従来、ＣＴ、ＭＲＩなどのそれぞれの装置で画像のファイル名や作成日付情報を独自に生成し、ＤＩＣＯＭビューア等のビューアで画像を表示している。画像はファイル名や作成日付情報に基づいて昇順や降順に並び替えを行うことができる。しかし、様々な撮像装置で撮像された画像を１つのビューアで表示する場合には、例えば患者の名前等からファイル名を作成するとＣＴとＭＲＩで類似したファイル名となり、ファイル名だけで類似性の高い画像を並べて表示することは難しかった。
【発明の開示】
【発明が解決しようとする課題】
【０００３】
医師は、断層画像を並べて表示することで、各画像のわずかな違いを見比べて患部の形状を特定しやすくなるが、ＣＴ／ＭＲＩ等の医療画像をファイル名や日付情報を手掛かりに並び替えても、必ずしも類似性の高い状態に並び替えることができるとは限らない。
【０００４】
また、脳外科では１症例で断層画像が２００枚を超えるような場合もあり、画像が類似性と無関係に雑然と並んでいる場合には必要な画像を検索するのに時間を要してしまう。
【０００５】
本発明は、上記事情に鑑みてなされたものであり、画像が有する被写体の患者関連情報及び／又は撮像条件に基づいて表示の順番を決定して表示を行い、医師が各画像のわずかな違いを見比べて患部形状の特定を容易に行うことのできる医療情報システムを提供することを目的としている。
【課題を解決するための手段】
【０００６】
本発明の医療情報システムは、同一被写体を撮像した複数の画像を表示する医療情報処理システムにおいて、患者関連情報及び撮像条件を示す情報の少なくとも一方を含む付加情報が付与された前記画像を蓄積する画像蓄積手段と、前記付加情報に基づいて画像の特性を判別する画像特性判別手段と、前記画像特性判別手段による判別結果に基づき前記画像の表示の順番を決定する表示制御手段とを備えて構成される。
【発明の効果】
【０００７】
本発明では、画像が有する被写体の患者関連情報及び／又は撮像条件に基づいて表示の順番を決定して表示を行い、医師が各画像のわずかな違いを見比べて患部形状の特定を容易に行うことができるという効果がある。
【発明を実施するための最良の形態】
【０００８】
以下、図面を参照しながら本発明の実施例について述べる。
【実施例１】
【０００９】
図１ないし図１０は本発明の実施例１に係わり、図１は医療情報システムの構成を示す構成図、図２は図１のコントローラの構成を示すブロック図、図３は図１の表示装置の表示画面上の参照画像表示エリアに表示される参照医療画像の表示順を説明する第１の図、図４は図１の表示装置の表示画面上の参照画像表示エリアに表示される参照医療画像の表示順を説明する第２の図、図５は図３の参照医療画像の有する患者関連情報及び／又は撮像条件と参照医療画像の並び順の関連性を説明する第１の図、図６は図３の参照医療画像の有する患者関連情報及び／又は撮像条件と参照医療画像の並び順の関連性を説明する第２の図、図７は図６の患者関連情報及び／又は撮像条件を示す情報を含むデータファイルの構成を説明する図、図８は図２のＣＰＵによる参照医療画像の表示順番決定処理の流れを示すフローチャート、図９は図７の患者関連情報及び／又は撮像条件を示す情報を含むデータファイルの変形例の構成を説明する図、図１０は図１のコントローラの変形例の構成を示すブロック図である。
【００１０】
本実施例の医療情報システムでは、図１に示すように、表示装置１は、表示を制御するキーボードまたはマウス等の操作装置４を有するコントローラ２と、ＶＧＡケーブル等の映像信号を伝送するケーブル３により接続されている。
【００１１】
コントローラ２内部には、図２に示すように、操作装置４からの操作情報を取得する操作情報Ｉ／Ｆ４３と、画像を蓄積する画像蓄積手段としてのＨＤＤ４１及び／又はメモリ４２と、画像の有する被写体の患者関連情報及び／又は撮像条件の識別を行う画像特性判別手段及び表示制御手段としてのＣＰＵ４０を備えている。ＣＰＵ４０により表示の順番を決定して、ＨＤＤ４１及び／又はメモリ４２に蓄積された画像を読み出し、読み出した画像を表示装置１で表示するグラフィックコントローラ４４を備え付けている。
【００１２】
図３に示すように、表示装置１の表示画面１１は、医療画像表示エリア５０、サムネイル表示エリア５１、参照画像表示エリア５２とからなる。
【００１３】
表示装置１の表示画面１１においては、図３に示すように、医療画像表示エリア５０にはＨＤＤ４１及び／又はメモリ４２に蓄積された、例えば内視鏡による検査時の医療動画像５０ａを表示し、サムネイル表示エリア５１には医療動画像５０ａの注目フレームの複数の静止画のサムネイル画像５１ａが表示される。
【００１４】
また、参照画像表示エリア５２にはＨＤＤ４１及び／又はメモリ４２に蓄積された少なくとも１つ以上の検査対象である患者の参照医療画像５２ａ（Ｘ線画像、超音波画像、ＣＴ画像、ＭＲＩ画像等）が表示される。
【００１５】
参照画像表示エリア５２で表示している参照医療画像５２ａの表示制御においては、検査対象である患者の患者関連情報及び／又は撮像条件をＣＰＵ４０により判別して表示の順番を決定し、例えば図４に示すように、参照画像表示エリア５２において、図３とは異なる順番で参照医療画像５２ａを表示する。
【００１６】
図５は、参照画像表示エリア５２に示す参照医療画像５２ａが有する、ファイル名、撮像日時、架台／検出器傾き、スライス位置を示し、ファイル名を基準に参照医療画像５２ａが並んでいる様子を示している。図６も同様で、ここでは架台／検出器傾き、スライス位置を基準に昇順に並び替えた場合の参照医療画像５２ａの順番の様子を示している。
【００１７】
ここで、架台／検出器傾きとは、患者がＸ線画像、超音波画像、ＣＴ画像、ＭＲＩ画像等の撮像時に横たわる台の傾きを検出する検出器の検出データであり、またスライス位置とはＣＴ画像、ＭＲＩ画像における断面スライス位置情報である。
【００１８】
撮像日時や、架台／検出器傾きなどの情報は、例えば図７のようなファイル構造のデータファイル９０の患者情報／撮像条件第 ｉ格納部９２−ｉ（ｉ＝１〜ｎ）に少なくとも１つ以上格納されている。
【００１９】
このデータファイル９０ではファイルの先頭を示すファイル識別部９１が存在し、ファイル識別部９１を先頭に、患者情報／撮像条件第 ｉ格納部９２−ｉが続き、その後のデータ部９３に臓器やＣＴ、ＭＲＩなどの画像情報が格納され、ＥＯＦ（End of File）９４でファイルの終わりを示している。
【００２０】
（作用）
表示装置１とＶＧＡケーブル等の映像信号を伝送するケーブル３により接続されたコントローラ２の内部のＨＤＤ４１及び／又はメモリ４２では、医療動画像５０ａ及び参照医療画像５２ａ等の画像データを蓄積し、参照医療画像５２ａの有する検査対象である患者の患者関連情報及び／又は撮像条件の識別をＣＰＵ４０により行う。
【００２１】
表示画面１１では、図３に示したように、医療画像表示エリア５０、サムネイル表示エリア５１、参照画像表示エリア５２とからなる画像を表示し、特にＨＤＤ４１及び／又はメモリ４２に蓄積された参照医療画像５２ａを少なくとも１つ以上配置して参照画像表示エリア５２に表示する。
【００２２】
参照画像表示エリア５２上で参照医療画像５２ａをランダムに表示する場合には、図３のように参照医療画像５２ａがその類似性や関連性と無関係に表示される。これを、画像の有する被写体の少なくも１つ以上の患者関連情報及び／又は撮像条件に基づいて、ＣＰＵ４０が表示の順番を決定し、グラフィックコントローラ４４がＨＤＤ４１及び／又はメモリ４２に蓄積された画像を読み出し、図４に示したように、ＣＰＵ４０が決定した順番に従った参照医療画像５２ａを参照画像表示エリア５２に表示することが可能となっている。
【００２３】
具体的には、例えば図５に示したように、ファイル名を基準に並んでいる場合には、種類の違う参照医療画像５２ａが混在してしまうため、図６に示したように、ＣＰＵ４０が架台／検出器傾きやスライス位置を基準にして、類似画像のわずかな違いを見て病変を特定する医師が画像を見比べやすい状態に参照医療画像５２ａを並び替える。
【００２４】
参照医療画像５２ａの並び替え処理は、図８のフローチャートに示すように、ステップＳ１にて対象となるデータを参照し、ステップＳ２の画像特性の判別処理にて参照医療画像５２ａの有する被写体の患者情報及び／又は撮像条件の識別を行う。
【００２５】
ステップＳ３の並び替え判断分岐では、識別した情報に基づき並べ替えを実施するかしないかを決定し、行わない場合はステップＳ５の表示処理にて参照医療画像５２ａの元の表示順で表示、並べ替えを行う場合は、ステップＳ４の表示順決定処理にて表示順を決定した後、ステップＳ５の表示処理にて決定した表示順で参照医療画像５２ａの表示を行う。
【００２６】
データファイル９０は、図７に示したように、少なくとも１つ以上の患者／撮像条件格納部９２−ｉを有し、並び替え処理は、識別した被写体の患者関連情報及び／又は撮像条件に基づいてＣＰＵ４０により行われる。
【００２７】
（効果）
参照医療画像が有する被写体の患者関連情報及び／又は撮像条件を判別して、判別結果に基づいて表示の順番を決定して表示を行い、医師が画像を見比べて患部形状の特定を行ったり、必要な参照医療画像を効率良く検索できるようになる。
【００２８】
なお、図９のように患者情報／撮像条件第 ｉ格納部９２ａ−ｉ（ｉ＝１〜ｎ）をファイル識別部９１ａ、データ部９３ａ、ＥＯＦ９４ａと分離して、患者情報／撮像条件第 ｉ格納部９２ａ−ｉをコントローラ２内部で保存し関連付けて行ってもよい。図９では患者情報／撮像条件第 ｉ格納部９２ａ−ｉをＯＳ側で管理し、ファイル識別部９１ａで開始するデータと関連付けて保存している。
【００２９】
図９に示す例では、データファイルのデータ部９３ａは一般的にデータ容量が大きく、特に画像枚数が多い場合はＣＰＵ４０で処理するのに負荷が掛かるため、患者情報／撮像条件第 ｉ格納部９２−ｉを分けて関連付けて保持することで、データ全体を読み込まなくても表示順を素早く決定できる。
【００３０】
なお、図１０に示すように、コントローラ２に参照医療画像５２ａを入力する入力Ｉ／Ｆ４５を設けてもよく、この場合、コントローラ２では、外部から入力Ｉ／Ｆ４５より入力した画像入力信号をグラフィックコントローラ４４で処理し表示装置１に表示すると共に、ＨＤＤ４１及び／又はメモリ４２にて参照医療画像５２ａを蓄積することで、外部からの入力された参照医療画像５２ａを蓄積し表示することができる。
【００３１】
［付記］
（付記項１）
前記患者関連情報及び／又は撮像条件は、検査日付情報である
ことを特徴とする請求項１に記載の医療情報処理システム。
【００３２】
（付記項２）
前記画像は、前記被写体のＣＴ画像及び／またはＭＲＩ画像を含み、
前記患者関連情報及び／又は撮像条件は、前記ＣＴ画像及び／またはＭＲＩ画像の前記被写体のスライス断面位置情報を含む
ことを特徴とする請求項１に記載の医療情報処理システム。
【００３３】
本発明は、上述した実施例に限定されるものではなく、本発明の要旨を変えない範囲において、種々の変更、改変等が可能である。
【図面の簡単な説明】
【００３４】
【図１】本発明の実施例１に係る医療情報システムの構成を示す構成図
【図２】図１のコントローラの構成を示すブロック図
【図３】図１の表示装置の表示画面上の参照画像表示エリアに表示される参照医療画像の表示順を説明する第１の図
【図４】図１の表示装置の表示画面上の参照画像表示エリアに表示される参照医療画像の表示順を説明する第２の図
【図５】図３の参照医療画像の有する患者関連情報及び／又は撮像条件と参照医療画像の並び順の関連性を説明する第１の図
【図６】図３の参照医療画像の有する患者関連情報及び／又は撮像条件と参照医療画像の並び順の関連性を説明する第２の図
【図７】図６の患者関連情報及び／又は撮像条件を示す情報を含むデータファイルの構成を説明する図
【図８】図２のＣＰＵによる参照医療画像の表示順番決定処理の流れを示すフローチャート
【図９】図７の患者関連情報及び／又は撮像条件を示す情報を含むデータファイルの変形例の構成を説明する図
【図１０】図１のコントローラの変形例の構成を示すブロック図
【符号の説明】
【００３５】
１…表示装置
２…コントローラ
３…ケーブル
４…入力装置
１１…表示画面
４０…ＣＰＵ
４１…ＨＤＤ
４２…メモリ
４３…入力装置Ｉ／Ｆ
４４…グラフィックコントローラ
５０…医療画像表示エリア
５０ａ…医療動画像
５１…サムネイル表示エリア
５１ａ…サムネイル画像
５２…参照画像表示エリア
５２ａ…参照医療画像
代理人    弁理士    伊藤  進
【図１】
2005185565.tif 000003
【図２】
2005185565.tif 000004
【図３】
2005185565.tif 000005
【図４】
2005185565.tif 000006
【図５】
2005185565.tif 000007
【図６】
2005185565.tif 000008
【図７】
2005185565.tif 000009
【図８】
2005185565.tif 000010
【図９】
2005185565.tif 000011
【図１０】
2005185565.tif 000012